(57)【要約】      （修正有）【課題】既登録会員が通販商品を前払い金の範囲内で商品を電話申込みだけで購入可能にする。【解決手段】既登録会員１から通販商品購入予定の前払い金申込みを受理した通販事務局２が既登録会員の個人情報を表示した振込用紙７を既登録会員に送付し、これを受領した既登録会員が送金取扱機関５を通じて通販事務局２に前払い金として送金し、通販事務局２が共用サーバー３に前払い金として入金処理をすると共に通販業者が設定したプレミアムを加算して前払預け入れ金額として入金登録をし、その入金完了の証しとする入金証明書を発行し、これを受領した既登録会員１が入金証明書４の前払い預け入れ金額内であれば任意に通販商品を電話注文し、通販事務局２は共用サーバー３で預け入れ金額から注文商品の代金の支払い決済する。【選択図】図１
2011146041.tif 000002
【特許請求の範囲】
【請求項１】
通販事業者（Ａ）によって会員番号を付与されてい既登録会員（１）から通販商品購入予定の前払い金申込みを受理した通販事務局（２）が当該登録会員の会員番号・氏名・住所・電話番号等の個人情報を表示した振込用紙（７）を当該登録会員に送付し、振込用紙（７）を受領した既登録会員（１）がこれを使って送金取扱機関（５）を通じて通販事務局（２）に前払い金として送金し、通販事務局（２）が共用サーバー（３）に前払い金として入金処理をすると共に通販業者が設定したプレミアムを加算して前払いの預け入れ金として入金登録をし、その入金完了の証しとする入金証明書を会員番号・氏名・住所・電話番号等の個人情報を表示して発行し、これを受領した既登録会員（１）が入金証明書（４）の前払い預け入れ金額内であれば任意にいつでも通販商品を電話注文し、通販事務局（２）は共用サーバー（３）で入金処理されている預け入れ金額から注文商品の代金の支払い決済するようにしたことを特徴とする通信販売における既登録会員限定の前払い金による通販商品購入方法。
【発明の詳細な説明】
【技術分野】
【０００１】
本発明は、通信販売における登録会員限定の前払い金による通販商品購入方法及びその前払い金による入金証明システムに関するものである。あらかじめ上限が定められた金額内であれば、任意に前払い金として通信事業者の事務局(以下、「通販事務局」という。)に送金してチャージすることができ、そのチャージした金額に応じて通販事業者が数パーセントのプレミアム（金額）を加算して入金登録し、入金完了の証として入金証明書を登録会員に発送し、登録会員は入金証明書の金額の範囲内であれば家に居ながらにして電話で注文するだけで商品の購入ができる。また、必要に応じて随時に上限内で前払い金を積み増し、若しくは商品の購入によって減少する残高を補填するために前払い金を追加チャージすることもできるようにしたものである。
【背景技術】
【０００２】
一般に、商品の購入やサービスの提供を受ける者が現金以外で支払うプリペイド決済に関しては、３種の類型が考えられ、第１は、テレフォンカード、図書カード、Ｓｕｉｃａ、パチンコ遊技場での貸し玉購入カード等のカード型、第２は、Ｗｅｂマネー、ネットキャッシュ等のカード式サーバー管理型、第３は、海外音楽のダウンロード決済のようなカード不発行で、残高はサーバーで管理するカードレスサーバー管理型がある。  
【０００３】
上記３種の類型のうち、通信販売における購入代金の決済方法として多数あるが、そのうち、対象を会員だけに適用するには、例えば、特許文献１は、「会員制Ｗｅｂ電子マネーサイト管理システム」に関し、会員が毎月一定額の電子マネーをチャージする仕組みにおいて、継続的に店舗会員の商品やサービスの購入、利用で電子マネーを消費するものである。
【先行技術文献】
【特許文献】
【０００４】
【特許文献１】特開２００８−３０５１１２号公開公報の発明
【発明の概要】
【発明が解決しようとする課題】
【０００５】
しかしながら、上記の特許文献１の発明は、会員の携帯端末から利用店舗のＩＤ番号と利用する電子マネーの決済申込みを受付け、会員の電子マネー残高で決済可能か判定し、即時に当該利用店舗の店舗会員の携帯端末に決済ＩＤ番号と共に決済可否を送信し、店舗会員の携帯端末から決済ＩＤ番号と、利用電子マネーの確認と支払い受付け承認があった場合、利用会員の電子マネー残高を更新し電子マネー利用履歴ファイルに登録する携帯端末決済を備えるようにしたものである。  
【０００６】
ところで、通販事業者の商品やサービスの中には、クレジットカード支払いでしか支払い決済できないものが存在する。クレジットカードは、会員に信用を供与するものであるから、これを持つには職業や年収、信用情報等の審査がある。  
【０００７】
そのため、現実の課題として、例えば給料や一定収入のない主婦や高校生等は、自身の名義ではクレジットカード持てなくなることになる。また、高齢者にとっても、クレジットカード契約のハードルが高くなっている。これによって、ネット系サービスや、ネット商品の購入代金をクレジットカードで決済を行う業種にあっては需要者の商品の購入やサービスの提供を受ける利用範囲を狭める結果となる。  
【０００８】
これに対して、本発明は、あらかじめ特定の通販事業者の商品を購入した実績があり、通販事業者が運用する共用サーバーに個人情報を全て登録管理された登録会員だけが当該通販事業者の商品やサービスを購入でき、その購入するための前払代金をあらかじめ通販事務局に送金すると、通販事務局は預け入れ金額に応じて設定してあるプレミアムを加算して共用サーバーで入力登録し、入金完了の証しとして、登録会員には氏名のほかＩＤ番号及びパスワードを記載した入金証明書を発行し、且つ登録会員は共用サーバーに入金登録されている金額の範囲内であれば通販事業者の商品を家に居ながらにして電話をかけるだけでいつでも簡単容易に注文購入でき、且つ上限の金額内で積増し金の預け入れができるようにしたものであり、商品の購入代金は、送金のためにその都度出かけなくても通販事務局が前払いのチャージ金額から支払い決済できるようにするものである。  
【０００９】
なお、本明細書において、「入金証明書」は、通販事業者の通販商品の注文して購入する代金を支払う際に使用するためにあらかじめ通販業者が設定した上限金額内で前払い金が通販事務局に送金されると、共用サーバーで入金登録し、その証しとして登録会員に発行されるものである。  したがって、入金証明書自体には財産的価値がないものの、前払いして預け入れ金の証明書として価値があり、本発明は上記の特許文献１とは異なる。
【課題を解決するための手段】
【００１０】
そこで本発明は、従来の課題を解決するために提供するものである。  
【００１１】
本発明の第１は、通信販売における既登録会員限定の前払い金による通販商品購入方法及びその前払い金による入金証明システムにおいて、通販事業者によって会員番号を付与されている登録会員から通販商品購入予定の前払い金申込みを受理した通販事務局が当該登録会員の会員番号・氏名・住所・電話番号等の個人情報を表示した振込用紙を当該登録会員に送付し、振込用紙を受領した登録会員がこれを使って送金取扱機関を通じて通販事務局に前払い金として送金し、通販事務局が共用サーバーに前払い金として入金処理をすると共に通販業者が設定したプレミアムを加算して前払預け入れ金額として入金登録をし、その入金完了の証しとする入金証明書を会員番号・氏名・住所・電話番号等の個人情報を表示して発行し、これを受領した登録会員が入金証明書の前払い預け入れ金額内であれば任意にいつでも通販商品を電話注文し、通販事務局は共用サーバーで入金処理されている預け入れ金額から注文商品の代金の支払い決済するようにしたものである。
【発明の効果】
【００１２】
本発明は上記の構成であるから、次の効果がある。《通販事業者（入金証明書発行者）側の効果》（１）  高校生のような若年層又は専業主婦等のようにクレジットカードを持てない人に対する商品購入し易い環境を提供するのに有効である。（２）  商品購入代金として前払いによる預け入れ金額に応じて設定してあるプレミアム（割増金）を加算して登録管理することにより、き登録会員に喜んでもらえると共に、通販事業者側に預けてある間は、既登録会員にメリットがあり、継続するリピータとして登録管理することができる。（３）  入金完了の証しとして発行する入金証明書と共に通販業者の商品カタログをセットで発送するのに好適であり、通販事業者にとって、更なる商品の販売増が期待できる。（４）  料金徴収代行会社の決済代行件数が少なくなり、手数料の低減化に期待できる。（５）  前払いによって入金された預かり金は、さらなる通販事業者の事業資金として利用可能となる。（６）  前払いの入金完了による入金証明書に有効期限を設けることにより、通販事業者の共用サーバー管理が効果的に利用でき、未使用残高を利益算入できる。その結果、前払いによる預け入れの入金日ごとに有効期限管理をすることができる。（７）  通販事業者は当該事業者の共用サーバーで運用管理しているので、登録会員が入金証明書を紛失しても、通販事務局に届け出さえすれば再発行ができると共に、当該入金証明書による使用不能手続処理することにより即時に対応することができる。（８）  前払いにより預け入れている登録会員に対して特別セール等、販売促進データとしての活用が図れる。  
【００１３】
《既登録会員（商品購入代金前払い者）側の効果》（１）  購入する商品の代金の支払いがきわめて簡単になる。すなわち、コンビニや郵便局等の送金取扱機関まで行く必要がなくなり、自宅に居ながらにして通販事務局に電話をかけ、入金証明書に記載してある金額の範囲内で代金を支払うことを申し出るだけで、目的の通販商品を購入できる。内で支払うことができる。（２）  本発明に係る商品購入方法を利用する既登録会員は、通販事業者が例えば、前払い金１０万円につき数パーセントのおまけが付く等のプレミアムをもらえる特典を受けることができる。（３）  本発明に係る商品購入方法は、パスワードが設定されていることにより本人以外の第三者による不正利用対策ができる。（４）  既登録会員は、残高が少なくなったときや、自己保有の金額に余裕のあるときには、上限（例えば２９万円）の金額内で１万円単位で任意の金額を入金（チャージ）することができ、その都度入金の金額に応じたプレミアムを加算される特典を受けることができる。（５）  未成年者の取消対応策として子供の買い物や会費の支払い対策として効果がある。
【図面の簡単な説明】
【００１４】
【図１】登録会員から前払い金の送金申し出から、通販事務局による入金登録及び注文商品の受注・発送系統を示す概略図である。
【図２】前払い金の申込みから入金登録管理により入金証明書の発送・受領までを示すフロートチャートである。
【図３】登録会員の通販商品の購入申し込みから、通販事業者の残高確認により注文商品の発送・受領までを示すフロートチャートである。
【図４】登録会員が前払い金の追加申し出から、通販事務局による追加入金登録及び入金証明書の発送・受領までを示すフロートチャートである。
【図５】入金証明書の入金登録金額の範囲内でギフト商品の購入申し込みから、残高照会確認後にギフト商品をギフト先の受領者に発送する系統を示す概略図である。
【図６】入金証明書・通販事業者の利用約款、通販事業者の案内書、通販事業者の商品カタログを同封してギフト商品とする概略斜視図である。
【発明を実施するための形態】
【００１５】
次に本発明を実施するための形態は次のとおりである。
《通販事業者の登録会員になるための手続の手順（図１）》
【００１６】
本発明に係る通信販売における登録会員限定の商品購入用入金証明書システムにおいて、入金証明書の預け入れ金額の範囲内で電話注文だけで通販商品を購入できるのは、登録会員限定であることが条件とする。そして、登録会員になるためには、事前に１回以上通販事業者の通販商品を購入しておく必要がある。
【００１７】
その商品を購入する手段は、通販事業者Ａの新聞広告、商品カタログ、ダイレクトメール等についているＦＡＸ専用注文用紙又は商品専用注文ハガキ６に申込者の氏名・住所・電話番号等必要な個人情報と、注文商品を記入して商品受注センター２′宛にＦＡＸ送信または投函によって送付して商品購入用の振込用紙を請求する。または、通販事務局２に電話を掛けて振込用紙7を請求して受領しておく。
【００１８】
上記のＦＡＸ専用注文用紙又は商品専用注文ハガキ６を受け付けた商品受注センター２′が通販事業者Ａの共用サーバー３で申込者の個人情報を入力して登録管理をする。
【００１９】
商品受注センター２′で処理した後、商品発送センター２″から購入代金請求書を兼ねる振込用紙７を同封した注文商品を商品申込者に配送する。この振込用紙７には、会員番号が印刷表示されているので、商品と共に購入代金用の振込用紙７を受領した申込者は、会員番号が記載されている振込用紙７を使ってコンビニ又は郵便局等の送金取扱機関５から送金する。
【００２０】
商品受注センター２′は、商品注文者から送金された注文商品の購入代金を通販事業者Ａの共用サーバー３で入金処理されたことを確認して売上処理する。これによって、商品購入申込者は以後、上記の入力された会員氏名・住所・電話番号と共に会員番号の付いた登録会員１として扱われる。
【００２１】
《前払い金の送金と入金証明書を発行する手順（図２）》
既登録会員１が入金証明書４を使って通販事業者Ａの商品を購入する場合は、次の手順で行う。
【００２２】
既登録会員１が通販事務局２に電話をして前払い送金用の振込用紙７を請求する。
【００２３】
上記請求を受け付けた通販事務局２は既登録会員１の会員番号・氏名・住所・電話番号等をもとに通販事業者の共用サーバー３で照会して本人確認をした後、前払い送金用の振込用紙７と一緒に前払いに関する説明、前払い金額一覧、プレミアム一覧、個人情報の取扱い（プライバシーポリシー）を印刷してある資料を同封して請求してきた既登録会員１に発送する。
【００２４】
前払い送金用の振込用紙７を受け取った既登録会員１は、前払い金の上限金額(例えば、２９万円)のうち、自己が希望する金額（例えば、初回９０,０００円）を記載した振込用紙７を使ってコンビニ又は郵便局等の送金取扱機関５から通販事務局２に送金する。
【００２５】
既登録会員１から前払いの入金を受け付けた通販事務局２は、共用サーバー３で既登録会員１の照会確認をすると共に入金情報の登録を行う。そして、前払い金額の上限をこのとき、入金金額に応じて所定のプレミアム（例えば、初回限定５％、２回目以降・通常３％）を加算した金額（例えば初回９４,５００円）を登録する。
【００２６】
既登録会員１からの入金情報の確認を完了した後、入金が完了したことを証明する入金証明書４を登録会員１に送付する。入金証明書４には、既登録会員氏名、会員登録番号、暗証番号（パスワード）、ＩＤ番号（管理番号）のほか、入金確認日、有効期間、前払い金額（例えば、９０,０００円）、プレミアム（例えば、初回限定５％・４,５００円）、商品購入などの利用可能残高（例えば、９４,５００円）を印字表示してある。
【００２７】
入金証明書４を受け取った既登録会員１は、以後前払い金額とプレミアムを合算した合計金額内において、通販事業者の商品カタログから選定した購入希望商品を商品受注センター２′に電話で注文して購入することができる。
【００２８】
《入金証明書を使って通販商品を購入する手順（図３）》
【００２９】
既登録会員１から前払い金の入金を受け付けた通販事務局２は、共用サーバー３で既登録会員１の照会確認をすると共に入金情報の登録を行う。このとき、入金金額に応じて所定のプレミアム（例えば、初回限定５％、２回目以降・通常３％）を加算した金額（例えば、初回限定・９４,５００円）を登録する。
【００３０】
登録会員１からの入金情報の確認を完了した後、入金が完了したことを証明する入金証明書４を既登録会員１に送付する。入金証明書４には、登録会員氏名、会員登録番号、パスワード（暗証番号）、ＩＤ番号（管理番号）のほか、入金確認日、有効期間、前払い金額（例えば、９０,０００円）、プレミアム（例えば、初回限定５％：４,５００円）、商品購入などの利用可能残高（例えば、９４,５００円）を印字表示してある。
【００３１】
入金証明書４を受け取った既登録会員１は、以後前払い金額とプレミアムの合計金額内において、通販事業者の商品カタログから選定した商品を電話で注文して購入することができる。
【００３２】
《既登録会員が前払い金をチャージ（追加して預け入れ）する手順(図４)》
注文商品の購入額が嵩んで前払い金による入金残高が少なくなった場合は、例えば１万円を単位としてチャージの送金又は既登録会員１に資金的に余裕がある場合等はいつでも設定の上限金額以内で繰り返して前払い金をチャージして預け入れしておくことができる。その際、チャージ金額に応じてプレミアム（例えば、２回目以降３％：３００円）を加算する。
【００３３】
既登録会員１が通販事務局２に電話をかけて前払い金をチャージすることと、そのチャージ金額を申し出る。
【００３４】
通販事務局２は、登録会員１の個人情報を共用サーバー３で本人確認をした後、申込人の前払い金の残高を確認して電話応答を終了する。
【００３５】
通販事務局２は、入金証明書４の購入金額を表示した振込用紙７を作成し、既登録会員１に発送する。
【００３６】
既登録会員１は、通販事務局２から送付されてきた振込用紙7を使ってコンビニ又は郵便局等の送金取扱機関５から通販事務局２に入金証明書４に記載された前払い金額を送金する。
【００３７】
通販事務局２は、既登録会員１からの送金を共用サーバーで前払い入金として預かり金の処理を行う。
【００３８】
通販事務局２からチャージした前払い入金後の残金情報既登録会員１に入金証明書を発送する。一方、既登録会員１はその入金証明書を見て確認できるほか、通販事務局２に電話をして自己の残高を確認することができる。
【００３９】
《ギフト用入金証明書の申込みとその使用をする手順（図５、図６）》
通販事務局２の共用サーバー３に会員登録されている既登録会員１が、入金証明書４の残高（例えば初回限定プレミアム４，５００円加算による２９万４，５００円）の中から通販商品ギフト用として所定の金額（例えば１０,０００円）及びギフト受取人１″の氏名・住所を記載したギフト届用紙を通販事務局２にＦＡＸ送信し、又は注文ハガキで通知する。
【００４０】
この通知を受けて通販事務局２は、共用サーバー３で既登録会員１の入金証明書４の残高を確認した後、ギフト商品の受取人氏名・住所と共に仮の会員番号・ＩＤ番号・ギフト金額（例えば１０,０００円）等の情報を入力登録し、当該ギフト金額を含む当該情報を記載した入金証明書４を利用約款９・商品案内書１０・商品カタログ１１と共に同封し、これをギフト商品８′としてギフト先に配送する。
【００４１】
ギフト商品８′を受領した受取人１″が、同封されている入金証明書４の金額（例えば１０,０００円）の範囲内で所望の通販商品を選択して商品受注センター２′に電話をかけて自己の氏名・住所に加えて仮の会員番号・ＩＤ番号等の個人情報を通知する。
【００４２】
商品受注センター２′が共用サーバー３で照会確認をした後、受取人である商品注文者１′を正規の登録会員として扱い、共用サーバー３に入力して登録する。
【００４３】
商品受注センター２′は、商品注文者１′の入金証明書４の金額（例えば、１０,０００円）の範囲内から希望の通販商品８（例えば５，０００円）の注文を受付けした後、商品発送センター２″から既登録会員になった商品注文者１′に通販商品８を配送する。
【００４４】
通販商品８を受け取った受領者は、その代金引換えや代金振込み等は一切必要としない。
【００４５】
そして、受領者１″がさらに通販商品の購入を希望する場合は、通販事務局２に電話をかけて当該受領者が有する入金証明書４の残高（例えば、５,０００円）を使って、通販商品を購入する旨を申し出る。
【００４６】
通販事務局２は、共用サーバー３で上記の受領者１″がサーバー３でギフト商品受領者であることを確認し、且つ仮の会員扱いを正規の登録会員として処理される。
【００４７】
なお、上記受領者において、入金証明書４の残高以上の金額（例えば６,０００円）の通販商品を購入しようとする場合は、前払い金の追加チャージ（例えば１０,０００円）を申し込む。
【００４８】
前払い金チャージの申込みを受けた通販事務局２は、、既登録会員１と同じように前払い金の振込用紙７を受領者１″に送付する。以後、上記段落番号「００３７」以下の手順をとることができる。
【実施例】
【００４９】
既登録会員１は、１回以上通信販売事業者の通販商品８を購入して、通販事務局の共用サーバー３に個人情報が入力登録して管理されている者である。個人情報の内容は、会員名、住所、会員番号、ＩＤ番号、パスワード等である。
【００５０】
次に、通販事務局２は、既登録会員１が入金証明書４を購入する業務を行う。すなわち、既登録会員１からの入金証明書の購入申込み及び本人確認、商品の受注処理、入金証明書４申込み代金の振込用紙７の発送を行い、登録会員１からの入金確認及び売上げ処理等をする。
【００５１】
通販事業者Ａの商品受注センター２′は、登録会員1が入金証明書４を使って通販事業者Ａの商品８を購入するために注文の受付業務を行う。商品の発送センター２″は、商品受注センター２′で登録会員１からの受注処理を行った注文商品８の配送業務を行う。
【００５２】
通販事務局２で登録会員１の入力管理する共用サーバー３は、通販事業者Ａの通販事務局２及び商品受注センター２′と商品発送センター２″が共用し、それぞれ通販事務局２・商品受注センター２′・商品発送センター２″の各端末機でアクセスできるようになっている。また、通信販売事業者の比較的遠隔地に拠点を有するグループ事業者の通販商品の受注、発送を集中管理の役割も担っている。
【００５３】
次に、商品受注センター２′は、共用サーバー３に注文した登録会員１の入金情報及び注文商品名、数量、残金情報を照合して確認し、支払い可能な金額の範囲内であれば、注文を受付、商品の発送のための手続を行い、商品発送センター２″で荷造りされた注文商品を注文した登録会員１宛に発送する。
【００５４】
共用サーバー３では、登録会員１の会員番号・氏名・住所・ＩＤ番号・暗証番号・電話番号及び入金確認日情報、残高情報その他必要な会員の個人情報の入力処理管理が行われる。
前記の通販事務局２では、登録会員１から送金されてくる入金証明書購入代金としての振込金が例えば１０，０００円につき、数百円のプレミアムを加算して共用サーバー３に入金処理をする。そして、既登録会員１に入金完了の証しとして入金証明書４を発行する。
【００５５】
入金証明書４は、通販事業Ａの共用サーバー３に既に登録されている登録会員１が通販事務局２に当該入金証明書４の購入金額を通知して購入申し込みをし、通販事務局２から送付された商品購入用に請求書を兼ねる専用の振込用紙７を使って送金取扱機関５から通販事務局２に送金し、且つ通知した購入金額を預け入れ、通販事業者Ａの共用サーバー３で入金処理をした後、購入した既登録会員に通販事業者Ａが発行するものである。
【００５６】
上記の入金証明書は、それ自体には、直接財産的価値はないが、通販事業者Ａに前払いとして預け入れした金額及び会員名、会員番号・暗証番号、プレミアム等の個人情報が全て入力登録されていて、その入金完了の証明として発行されるものである。また、商品を購入しようとする際には入金証明書４の個人情報を共用サーバー３に登録される個人情報を照会するのに必要である。
【００５７】
送金取扱機関５には、コンビニ又は郵便局等があり、通販事務局２又は商品発送センター２″から、登録会員又はこれから登録会員になろうとする人に発送されてきた振込用紙７に購入金額、氏名、会員番号又は会員番号等の個人情報があらかじめ印刷表示されているので、その振込用紙７をコンビニ又は郵便局から送金手続が行える。
【００５８】
通販事業者Ａの商品を購入するためのＦＡＸ商品専用注文用紙又は商品専用注文ハガキ６は、これから登録会員になろうとする人が、登録会員になる前提条件として通販事業者Ａの商品８を購入する必要から注文するために使用し、商品受注センター２′に送るものである。
【００５９】
振込用紙７は、通販事務局２又は商品受注センター２′が発行する入金証明書４又は既登録会員が購入するのに使用する請求書を兼ねる振込用紙であり、当該入金証明書４の購入代金又は注文商品の購入代金を印刷表示したものを注文し既登録会員１又は商品注文者１′に送付する。
【００６０】
図１、図２、図６において、８は通販事業者Ａの商品カタログに掲載されている通販商品又は、これを購入者が選択して注文する注文商品を示す。
図４及び図５において、８′はギフト商品であり、入金証明カード４を通販事業者Ａの利用約款９、通販事業者の案内書１０、通販事業者の商品カタログと一緒に同封してなるものであり、用途としては、中元の品、歳暮の品、内祝い品、結婚式の引き出物等がある。
【産業上の利用可能性】
【００６１】
本発明に係る通信販売における既登録会員限定の前払い金による通販商品購入方法において、入金証明書４にあらかじめ単一の通販事業者Ａだけではなく、当該通販事業者を含む系列の複数の通販事業者を加えて形成した通販事業者グループにも適用することができる。
【００６２】
すなわち、この通販事業者グループの１社に登録されている登録会員１が通販事務局２に上限（例えば３０万円分）内において、前払い金の金額を追加チャージしてある自己の入金証明書４の預け入れ金額から、ギフト商品８′の購入代金（例えば５，０００円）を必要人数分（例えば５名分））を購入する場合、通販事務局２に電話をして通知する。
【００６３】
電話で購入注文の通知を受けた通販事務局２は、前払い金額から所定の金額を共用サーバー３で支払い処理をすると共に、登録会員１が通販事業者グループから購入する入金証明書４を通販事業者Ａの利用約款９・案内書１０及び商品カタログ１１等と共に同封してギフト商品８′として発送し、これを受領した受領者が以後、登録会員として入金証明書４の金額の範囲で通信販売事業者グループの商品８の購入することができ、且つその後も商品受領者が新たに必要に応じて前払い金の金額を追加チャージすることにより継続利用が行われる等、正規の会員である顧客となり、通販事業者グループ全体のリピータの増員や拡大が図れる。
【符号の説明】
【００６４】
１……通販事業者に登録されている登録会員
２……通販事務局
２′…商品受注センター
２″…商品発送センター
３……通販事務局・商品受注センター・商品発送センターの共用サーバー
４……通販商品の購入用として通販事業者に前払いによる入金完了の証明となる入金証明書
５……送金取扱機関
６……通販商品のＦＡＸ専用注文用紙又は専用注文ハガキ
７……振込用紙
８……通販事業者の商品
８′…入金証明書・利用約款・案内書・商品カタログを同封するギフト商品
９……通販事業者の利用約款
１０……通販事業者の案内書
１１……通販事業者の商品カタログ
Ａ……通販事業者
【図１】
2011146041.tif 000003
【図２】
2011146041.tif 000004
【図３】
2011146041.tif 000005
【図４】
2011146041.tif 000006
【図５】
2011146041.tif 000007
【図６】
2011146041.tif 000008